(57)【特許請求の範囲】
【請求項１】
降り口側プーリと乗り口側プーリとの間に掛け廻した踏板ベルトを循回させて人を搬送する動く歩道において、
降り口側プーリに巻き掛けられた部分の前記踏板ベルトの外周面に当接してダストを掻き取り、そのダストを上面に乗せてから下方に落下させるブラシと、
前記ブラシから落下したダストを溜めるダストボックスと、
前記ブラシの上面に水を散水する散水装置と、
前記ダストボックス、ブラシ等の降り口側プーリ近傍に火災、煙が発生したことを検知する煙検知器と、
前記煙検知器が煙検知信号を出してないとき、定期的に少量の水を前記ブラシ上に散水させ、煙検知信号が出力された時大量の水を前記ブラシ上に散水するよう前記散水装置を制御する制御装置と
からなることを特徴とする動く歩道の防火消火装置。
【発明の詳細な説明】
【０００１】
【発明の属する技術分野】
本発明は動く歩道の防火消火装置に関する。さらに詳しくは、不特定多数の人を搬送する動く歩道における防火消火装置に関する。
【０００２】
【従来の技術】
動く歩道に関する従来の消火装置として、特開昭５１−３８７９７号公報および特開平４−１１２１８４号公報に記載されたもの（従来例Ｉ）がある。この従来例Ｉは火災が発生したとき、消火装置を駆動して火を消し止める技術であり、動く歩道の火災を予防する機能は有していない。
実開昭６４−４７７７４号公報に記載された装置（従来例II）は、火災予防も目的とするものであるが、乗り口側での防火消火しか考慮してないものである。すなわち、乗り口側は一般的に降り口側より高さの低い場所にあり、動く歩道における機構部の各所から集められたオイルが溜められるオイルパンも乗り口側に配置されているが、このオイルパンからの火災を予防するように構成されたものだからである。
【０００３】
【発明が解決しようとする課題】
しかるに、動く歩道において、ダストが溜まりやすいのは降り口側なのである。つまり、乗客が靴や荷物によって持ち込んだダストはベルトに乗って運ばれ、そのベルトが降り口側プーリに巻き掛けられて回転して向きを変える部分で、下方に落下しやすいからである。そして、そこに集積したダストにタバコの吸い殻でも落ちると一気にダストに火がつき、しかも周辺には機械部分の潤滑用オイルが存在するので、大きな火災になりやすいという問題がある。
しかるに、前記従来例では、火災の起きやすい降り口側の火災予防はいずれも不可能であった。
【０００４】
本発明はかかる事情に鑑み、動く歩道の降り口側の火災予防が可能であり、しかも火災発生した場合の消火も効果的に行える防火消火装置を提供することを目的とする。
【０００５】
【課題を解決するための手段】
本発明の防火消火装置は、降り口側プーリと乗り口側プーリとの間に掛け廻した踏板ベルトを循回させて人を搬送する動く歩道において、降り口側プーリに巻き掛けられた部分の前記踏板ベルトの外周面に当接してダストを掻き取り、そのダストを上面に乗せてから下方に落下させるブラシと、前記ブラシから落下したダストを溜めるダストボックスと、前記ブラシの上面に水を散水する散水装置と、前記ダストボックス、ブラシ等の降り口側プーリ近傍に火災、煙が発生したことを検知する煙検知器と、前記煙検知器が煙検知信号を出してないとき、定期的に少量の水を前記ブラシ上に散水させ、煙検知信号が出力された時大量の水を前記ブラシ上に散水するよう前記散水装置を制御する制御装置とからなることを特徴とする。
本発明では、常時はブラシ上に散水される水によってダストが湿気を帯びているので、火災が発生しにくくなり、防火に役立っており、またそれでも火災が発生したときは、煙探知器の検知によって散水装置から大量の水が散水されるので、火災の初期に効果的に消火をすることができる。
【０００６】
【発明の実施の形態】
つぎに、本発明の実施形態を図面に基づき説明する。
図１は本実施形態の防火消火装置の要部拡大側面図、図２は同防火消火装置の側面図、図３は同防火消火装置の平面図、図４は制御装置のブロック図、図５は動く歩道の全体側面図である。
【０００７】
まず、図５に基づき、動く歩道Ｍの基本構成を説明する。１はエンドレスの踏板ベルトで乗り口側プーリ２と降り口側プーリ３に巻き掛けられており、降り口側ピット８内に設置された駆動部４で循回駆動されるようになっている。５は移動手摺で、エンドレスの手摺ベルト６が手摺壁７に沿って循環し、前記踏板ベルト１と同速度で動くようになっている。なお、９は乗り口側ピットである。
【０００８】
つぎに、上記の動く歩道Ｍにおける、降り口側の構造と防火消火装置の基本構造を説明する。
図１〜３に示すように、降り口側プーリ３に巻き掛けられた部分の前記踏板ベルト１の外周面に当接するように、踏板ベルト１の幅方向とほぼ同じ長さの幅のブラシ１０が水平方向に設けられている。ブラシ１０の下方には、ダストボックス２０が配設されており、このダストボックス２０は、ブラシ１０によって踏板ベルト１から掻き取られたダストｄを溜めておくものである。１６はダストがこぼれないように取付けたプレートである。
【０００９】
また、防火消火装置の水タンク３４とポンプ（図示省略）が配置され、前記ブラシ１０の上面に水を散水する散水パイプ３２と前記水タンク３４とは連絡パイプ３３で連通されている。
なお、１５はコムであり、降り口側プーリ３の上面を通る踏板ベルト１に略当接して、人の乗り移りを案内している。
【００１０】
つぎに、図１および図３に基づき、防火消火装置の詳細を説明する。
前記ブラシ１０は、踏板ベルト１に付着したダストｄを掻き落とすためのものであり、水平なブラシ取付板１１の上側端縁部に取り付けられている。このブラシ取付板１１の下側端縁部は水平なＬ字鋼１２に取り付けられている。このＬ字鋼１２の両端部には、それぞれ側支持板１３、１３が取り付けられている。左右それぞれの側支持板１３、１３は側支持板１４、１４に支持されている。
なお、図では、ブラシ１０はブラシ取付板１１、Ｌ字鋼１２、側支持板１３、および側支持板１４によって支持されているが、降り口側プーリ３に巻き掛けられた部分の前記踏板ベルト１の外周面に当接するようにさえ配設されておれば、ブラシ１０を支持する機械的構成は特に限定されない。
【００１１】
また前記ブラシ１０は先端を斜め上方に向けて配設されている。このため、ブラシ１０は踏板ベルト１に付着しているダストｄを掻き取り、そのダストｄをブラシ１０の上面に乗せてから下方に落下させることができる。
なお、ブラシ１０は、斜め上方に向けて配設されているが、その角度は特に限定されない。
【００１２】
つぎに、ブラシ１０の上面に水を散水する散水装置３０を説明する。
前記ブラシ１０の斜め上方に、水平な散水パイプ３２が配設されている。この散水パイプ３２には、その長手方向に沿って、複数の噴射孔が間隔をおいて、しかもブラシ１０に向けて形成されている。散水パイプ３２の一端は閉じられており、他端はコネクタを介して既述のごとく連結パイプ３３に接続されている。このため、水タンク３４の水を図示しないポンプ３５によって、散水パイプ３２の全ての噴射孔から水をブラシ１０に向けて散水することができる。
【００１３】
図２に示すように、ブラシ１０の上方における降り口側ピット８の内側天井には、煙検知器４０が取り付けられている。この煙検知器４０は、ブラシ１０、ダストボックス２０内に煙や火災が発生すると、それを検知し後述する制御装置４１に煙検知信号を送信するものである。
【００１４】
つぎに、制御装置４１を説明する。
図４に示すように、制御装置４１の入力ポートには煙検知器４０が接続されており、制御装置４１の出力ポートは駆動回路４２を介してポンプ３５の駆動用モータ３６が接続されている。
制御装置４１は、煙検知器４０が煙検知信号を出していないときには、前記ブラシ１０に定期的に少量の水を散水するように散水装置３０を制御し、煙検知器４０が煙検知信号を出したときには、制御装置４１は、前記ブラシ１０に大量の水を散水するように散水装置３０を制御する。
例えば、定期散水としては３時間ごとに約５秒間水量２１ccを散水する。なお、水タンクの大きさによって、散水間隔又は水量を変えるとよい。
【００１５】
つぎに、本実施形態の動く歩道の防火消火装置の作用・効果を説明する。
動く歩道Ｍの稼働中、すなわち踏板ベルト１の走行中には、ブラシ１０によって常に踏板ベルト１に付着しているダストｄを掻き取り、そのダストｄをブラシ１０の上面に乗せてから下方に落下させることができる。このダストｄはダストボックス２０に溜まるので、普段はこのダストボックス２０からダストｄを定期的に取り除く作業を行えばよい。
【００１６】
常時、すなわち煙検知器４０が煙検知信号を出していないときには、制御装置４１は、前記ブラシ１０に定期的に少量の水を散水するように散水装置３０を制御する。このため、ブラシ１０およびその上面のダスト、さらにはダストボックス２０内のダストは湿り気を帯びているので、動く歩道Ｍの降り口側の火災を予防することができるという効果を奏する。
【００１７】
もし、タバコの吸い殻等の何らかの原因で火災が発生した場合には、ブラシ１０又はダストボックス内で煙が発生する。このため、この煙を煙探知器４０が検知し、この煙探知器４０が制御装置４１に煙検知信号を送信する。この煙検知信号を受信した制御装置４１は、ブラシ１０に大量の水を散水するように散水装置３０を制御する。このため、万が一動く歩道Ｍの降り口側で火災が発生した場合であってもその火災を消火することができるという効果を奏する。
【００１８】
【発明の効果】
請求項１の動く歩道の防火消火装置によれば、ブラシの定期的な散水によって動く歩道の降り口側の火災予防が可能であり、しかも火災発生した場合の消火も大量の散水によって効果的に行える。
【図面の簡単な説明】
【図１】本実施形態の動く歩道の防火消火装置の要部拡大側面図である。
【図２】本実施形態の動く歩道の防火消火装置の側面図である。
【図３】本実施形態の動く歩道の防火消火装置の平面図である。
【図４】本実施形態の制御装置のブロック図である。
【図５】本実施形態の動く歩道Ｍの全体側面図である。
【符号の説明】
１  踏板ベルト
２  乗り口側プーリ
３  降り口側プーリ
１０  ブラシ
２０  ダストボックス
３０  散水器
４０  煙検知器
４１  制御装置
ｄ  ダスト
Ｍ  動く歩道
【図１】
0003746589.tif 000002
【図２】
0003746589.tif 000003
【図３】
0003746589.tif 000004
【図４】
0003746589.tif 000005
【図５】
0003746589.tif 000006